(57)【要約】【課題】  従来のブリスターパッケージでは、店頭で売られる際につける値札シールなどの粘着シールがプラスチック製のブリスターに貼付された場合、ブリスターのリサイクルができないという欠点があった。【解決手段】  本発明のブリスターパッケージは、台紙と、上記台紙に被せて商品を保持するブリスターと、上記ブリスターの一部に設けた、上記台紙の一部を露出せしめるカット部とよりなることを特徴とする。また、上記ブリスターの一部に設けた、粘着シール貼付部を区劃する切取り線とよりなることを特徴とする。また、上記ブリスターの一部に、粘着シール貼付用の着脱自在なシールを貼布する。上記ブリスターには吊り下げ用のフック孔を設ける。また、粘着シール貼付位置表示部を設ける。【選択図】  図１
2005022747.tif 000002
【特許請求の範囲】
【請求項１】
台紙と、上記台紙に被せて上記台紙との間に商品を保持するためのブリスターと、上記台紙に対する値札等の貼り付け部に対向する上記ブリスターの一部に形成したカット部とよりなることを特徴とするブリスターパッケージ。
【請求項２】
台紙と、上記台紙に被せて上記台紙との間に商品を保持するためのブリスターと、上記ブリスターに対する値札等の貼り付け部を区劃する切取り線とよりなることを特徴とするブリスターパッケージ。
【請求項３】
台紙と、上記台紙に被せて上記台紙との間に商品を保持するためのブリスターと、上記ブリスターの一部に設けた、着脱自在な値札等の貼付用シールとよりなることを特徴とするブリスターパッケージ。
【請求項４】
少なくとも上記ブリスターには吊り下げ用のフック孔が設けられていることを特徴とする請求項１、２または３記載のブリスターパッケージ。
【請求項５】
台紙と、上記台紙に被せて上記台紙との間に商品を保持するブリスターと、上記台紙の値札等の貼布部に形成した貼布位置表示とより成ることを特徴とするブリスターパッケージ。
【請求項６】
台紙と、上記台紙に被せて上記台紙との間に商品を保持するブリスターと、上記ブリスターの値札等の貼布部に形成した貼布位置表示とよりなることを特徴とするブリスターパッケージ。
【発明の詳細な説明】
【技術分野】
【０００１】
本発明はブリスターパッケージ、特に、リサイクルが容易なブリスターパッケージに関するものである。
【背景技術】
【０００２】
図５は従来のブリスターパッケージを示し、１は紙製の台紙、２は上記台紙１の上部に設けた吊り下げ用のフック孔、３は上記台紙１の前面全体に被せた、商品保持用凹部４を有するプラスチック製のブリスター、５は上記ブリスター３の両側を夫々裏側に折り曲げて形成した、上記台紙１を挿入固定せしめる溝、６は上記台紙１のフック孔２に対応した位置で上記ブリスター３に設けたフック孔である。
【０００３】
上記従来の台紙１とブリスター３にフック孔２，６のあるタイプのブリスターパッケージは、吊り下げ用のフック（図示せず）を上記台紙１のフック孔２とブリスター３のフック孔６とに貫通せしめてブリスターパッケージを吊るので、図６に示すようなブリスター３にフック孔を設けずに、紙製の台紙１のフック孔２のみで吊り下げるようにしたタイプのブリスターパッケージに比べて強度的に強いものとなる。
【０００４】
上記従来のブリスターパッケージにおいては、店頭で売られる際、図７に示すようにブリスターパッケージの表面に商品の価格、形式や色などを表示する紙製等プラスチックとは異なる材質の粘着シール７が貼付される場合がある。この場合、上記従来のブリスターにフック孔のあるタイプなどでは、台紙１の前面全体がブリスター３により覆われているため、粘着シール７をブリスター３上に貼らざるを得ない。このため、プラスチックとは異なる材質の粘着シール７が貼られたブリスター３はそのままではリサイクルすることができず、この粘着シール７は剥がす必要があるが、これは剥がしづらいので、産業廃棄物としてそのまま捨てられるのが現状である。
【０００５】
このため、実用新案登録第３０６７４０８号公報記載の考案のように、台紙上部のフラップをブリスター上面に折り返し、この折り返した上記フラップに値札等の粘着シールを貼るようにし、ブリスター表面に粘着シールを貼らないようにしたものがある。
【特許文献１】実用新案登録第３０６７４０８号（図１）。
【発明の開示】
【発明が解決しようとする課題】
【０００６】
然しながら、上記従来のブリスターパッケージはコストが高くなってしまうという欠点があった。
【０００７】
また、上記従来のブリスターパッケージにおいても、せっかく台紙に粘着シール貼用のフラップを設けても、そこに粘着シールが貼られずブリスターに貼られてしまうこともあり、リサイクルができなくなる場合があった。
【０００８】
本発明は上記のような欠点を除くようにしたものである。
【課題を解決するための手段】
【０００９】
本発明のブリスターパッケージは、台紙と、上記台紙に被せて上記台紙との間に商品を保持するためのブリスターと、上記台紙に対する値札等の貼り付け部に対向する上記ブリスターの一部に形成したカット部とよりなることを特徴とする。
【００１０】
また、本発明のブリスターパッケージは、台紙と、上記台紙に被せて上記台紙との間に商品を保持するためのブリスターと、上記ブリスターに対する値札等の貼り付け部を区劃する切取り線とよりなることを特徴とする。
【００１１】
また、本発明のブリスターパッケージは、台紙と、上記台紙に被せて上記台紙との間に商品を保持するためのブリスターと、上記ブリスターの一部に設けた、着脱自在な値札等の貼付用シールとよりなることを特徴とする。
【００１２】
また、本発明のブリスターパッケージは、少なくとも上記ブリスターには吊り下げ用のフック孔が設けられていることを特徴とする。
【００１３】
また、本発明のブリスターパッケージは、台紙と、上記台紙に被せて上記台紙との間に商品を保持するブリスターと、上記台紙の値札等の貼布部に形成した貼布位置表示とより成ることを特徴とする。
【００１４】
また、本発明のブリスターパッケージは、台紙と、上記台紙に被せて上記台紙との間に商品を保持するブリスターと、上記ブリスターの値札等の貼布部に形成した貼布位置表示とよりなることを特徴とする。
【発明の効果】
【００１５】
本発明のブリスターパッケージによれば、確実にリサイクルできるようになる大きな利益がある。
【発明を実施するための最良の形態】
【００１６】
【実施例１】
【００１７】
本発明の第１の実施例のブリスターパッケージにおいては図１に示すように、台紙１を覆うブリスター３の例えば上部右側に、上記台紙１の一部を上記ブリスター３から露出せしめるカット部８を設け、これによって露出した台紙１上に値札等のシール７を貼付できるようにする。
【００１８】
この第１の実施例によれば、上記カット部８により露出した台紙１上にシール７を貼付でき、ブリスター３にはシール７を貼付する必要がないのでブリスターのリサイクルが可能となる。
【００１９】
なお、上記カット部８は図２に示すように、ブリスター３の例えば上部右側に形成した切り欠き窓部であってもよい。
【実施例２】
【００２０】
本発明の第２の実施例のブリスターパッケージにおいては図３に示すように、上記カット部８をミシン目などの切取り線９で区劃しこの部分を容易に切り離しができるようにする。この第２の実施例によれば上記区劃部分にシール７を貼付し、リサイクルのとき上記区劃部分をシール７と共に除去することができるようになる。
【実施例３】
【００２１】
本発明の第３の実施例のブリスターパッケージにおいては図４に示すように、ブリスター３の例えば上部右側に、後に容易に剥がすことができるシール１０を設け、このシール１０上に値札等のシール７を貼付せしめる。
【００２２】
この第３の実施例によれば、シール１０をブリスター３から剥がせば、ブリスターのリサイクルができるようになる。
【実施例４】
【００２３】
本発明の第４の実施例のブリスターパッケージにおいては台紙に対する値札等のシール貼布部及びブリスターに対する値札等のシール貼布部に夫々その位置表示を行なう、例えばそこが値札等のシールの貼布位置であることを表示する印刷を設ける。
【００２４】
本発明のこの実施例によれば、誤った部分にシールが貼られることがない。
【図面の簡単な説明】
【００２５】
【図１】本発明の第１の実施例のブリスターパッケージの説明用斜視図である。
【図２】本発明の第１の実施例の他のブリスターパッケージの説明用斜視図である。
【図３】本発明の第２の実施例のブリスターパッケージの説明用斜視図である。
【図４】本発明の第３の実施例のブリスターパッケージの説明用斜視図である。
【図５】従来のブリスターパッケージの台紙とブリスターを分解した斜視図である。
【図６】従来のブリスターパッケージの説明用斜視図である。
【図７】従来の他のブリスターパッケージの説明用斜視図である。
【符号の説明】
【００２６】
１  台紙
２  フック孔
３  ブリスター
４  凹部
５  溝
６  フック孔
７  シール
８  カット部
９  切取り線
１０  シール
【図１】
2005022747.tif 000003
【図２】
2005022747.tif 000004
【図３】
2005022747.tif 000005
【図４】
2005022747.tif 000006
【図５】
2005022747.tif 000007
【図６】
2005022747.tif 000008
【図７】
2005022747.tif 000009